(57)【要約】【課題】本発明はデジタルスチルカメラを利用した画像撮影装置、及び画像整理装置に関し、特に写真撮影の際、失敗撮影を未然に防止し、撮影後であっても失敗撮影の可能性のある登録画像を削除することを可能とした画像撮影装置、及び画像整理を提供するものである。【解決手段】本発明はカメラ撮影部２で撮影した画像を画像メモリ３に一旦記憶し、画像メモリ３の撮影画像の撮影状態をＣＰＵ１によって解析し、被写体候補の顔切れや、被写体候補の撮影範囲内に占める割合等を判断し、また被写体の配置バランスや重なり度等を判断し、失敗撮影の可能性が高い画像の登録を防止する。また、一旦登録した画像であっても、記録媒体８から登録画像を読み出し、画像内容の判断を行い、失敗撮影の可能性が高い登録画像を削除し、記録媒体８の記憶領域を有効利用する。【選択図】  図１
2005020196.tif 000002
【特許請求の範囲】
【請求項１】
写真画像撮影時、撮影対象画像の画像内容を認識し、該認識した画像内容から被写体候補を抽出する抽出手段と、
前記撮影対象画像内における前記被写体候補の撮影状態を評価する評価手段と、
該評価結果が所定の基準に満たない場合、撮影画像の登録を未然に防止する制御手段と、
を有することを特徴とする画像撮影装置。
【請求項２】
前記評価手段は、前記抽出手段が抽出する被写体が人物の場合、該人物の顔部分の撮影状態を評価することを特徴とする請求項１記載の画像撮影装置。
【請求項３】
前記評価手段は、前記被写体候補の全体画像が前記撮影対象画像内に含まれているかにより撮影状態を評価することを特徴とする請求項１記載の画像撮影装置。
【請求項４】
前記評価手段は、前記撮影対象画像に対する前記被写体候補の占有割合に応じて評価することを特徴とする請求項１記載の画像撮影装置。
【請求項５】
前記評価手段は、前記撮影対象画像に対する前記被写体候補の配置バランスに応じて評価することを特徴とする請求項１記載の画像撮影装置。
【請求項６】
前記評価手段は、前記撮影対象画像から背景対象物を特定し、該背景対象物と前記被写体候補との重なり度合いから評価することを特徴とする請求項１記載の画像撮影装置。
【請求項７】
写真画像撮影時、撮影対象画像の画像内容を認識し、該認識した画像内容から被写体候補を特定し、該被写体候補の背景となる背景画像を前記撮影対象画像から抽出する抽出手段と、
該抽出された背景画像の撮影状態を評価する評価手段と、
該評価結果が所定の基準に満たない場合、撮影画像の登録を未然に防止する制御手段と、
を有することを特徴とする画像撮影装置。
【請求項８】
写真画像撮影後、記録部に記録された登録画像の画像内容を読み出す読出手段と、
該画像内容を評価する評価手段と、
該評価結果が所定の基準に満たない登録画像を削除する削除手段と、
を有することを特徴とする画像整理装置。
【請求項９】
前記評価手段は、前記読み出した登録画像から被写体候補を抽出し、該被写体候補の撮影状態に応じて評価し、該評価結果が所定の基準に満たない登録画像を削除することを特徴とする請求項８記載の画像整理装置。
【請求項１０】
写真画像撮影時、撮影対象画像の画像内容を認識し、該認識した画像内容から被写体候補を抽出する処理と、
前記撮影対象画像内における前記被写体候補の撮影状態を評価する処理と、
該評価結果が所定の基準に満たない場合、撮影画像の登録を未然に防止する処理と、
を行うプログラムであって、画像撮影装置が実行可能なプログラム。
【請求項１１】
写真画像撮影時、撮影対象画像の画像内容を認識し、該認識した画像内容から被写体候補を特定し、該被写体候補の背景となる背景画像を前記撮影対象画像から抽出する処理と、
該抽出された背景画像の撮影状態を評価する処理と、
該評価結果が所定の基準に満たない場合、撮影画像の登録を未然に防止する処理と、
を行うプログラムであって、画像撮影装置が実行可能なプログラム。
【請求項１２】
写真画像撮影後、記録部に記録された登録画像の画像内容を読み出す処理と、
該画像内容を評価する処理と、
該評価結果が所定の基準に満たない登録画像を削除する処理と、
を行うプログラムであって、画像整理装置が実行可能なプログラム。
【発明の詳細な説明】
【０００１】
【発明の属する技術分野】
本発明は画像撮影装置、及び画像整理装置に関する。
【０００２】
【従来の技術】
近年、撮影画像を電子データとして様々な記録媒体に記録できるデジタルスチルカメラが広く市販されている。また、上記記録媒体の記録容量も年々大容量化が進み、誰もが手軽に、被写体に焦点を合わせ写真撮影を楽しむことが可能になっている。
【０００３】
この為、従来のデジタルスチルカメラでは、露出や、ぶれ、焦点等を光学的に検出し、最適な撮影状態を指示する技術が開発されている。例えば、特許文献１には受光素子と焦点検出手段によって撮影の際、被写体の露出情報及び合焦情報を比較し、失敗撮影の可能性がある場合、その旨を使用者に警告する発明が開示されている。
【０００４】
【特許文献１】特開２００１−３２４７５２号公報（段落番号０００５〜００３１、図１〜図３）
【０００５】
【発明が解決しようとする課題】
上記従来の方法によれば、露出、ぶれ、焦点等は上記警告に従って調整し、光学的、画質的な撮影不良を回避することができる。しかしながら、上記光学的、画質的な撮影不良は回避できたとしても、撮影画像を見て撮影が失敗であると考えられる場合がある。例えば、被写体として撮影した人物の顔が隠れ、又は顔の一部が画面から外れる場合がある。また、被写体が小さすぎ、又は背景とのバランスが悪い場合もある。この為、例え露出や焦点が最適であっても、後に写真画像を見て後悔することになる。
【０００６】
前述のように、近年デジタルスチルカメラには大容量の記録媒体が装着されるが、やはり限度があり、できるならば失敗画像は残さず、記録媒体の記憶領域を有効利用することが期待される。
そこで、本発明は写真撮影の際、失敗撮影を未然に防止し、撮影後であっても登録画像の状態によっては自動削除することを可能とした画像撮影装置、及び画像整理装置を提供するものである。
【０００７】
【課題を解決するための手段】
上記課題は、請求項１記載の発明によれば、写真画像撮影時、撮影対象画像の画像内容を認識し、該認識した画像内容から被写体候補を抽出する抽出手段と、前記撮影対象画像内における前記被写体候補の撮影状態を評価する評価手段と、該評価結果が所定の基準に満たない場合、撮影画像の登録を未然に防止する制御手段とを有する画像撮影装置を提供することによって達成できる。
【０００８】
ここで、上記評価手段は、抽出した上記被写体候補の撮影状態を撮影画像自体に含まれる画像情報、例えば形状情報、色情報等から評価する。制御手段は上記評価手段の評価結果に基づいて、基準値に満たない撮影画像に問題があると判断し、撮影者への通知やシャッタのロック等の制御を行い、失敗画像の登録を未然に防止する。
【０００９】
請求項２の記載は、前記請求項１記載の発明において、前記評価手段は、例えば前記抽出手段が抽出する被写体が人物の場合、該人物の顔部分の撮影状態を評価する。
このように構成することにより、被写体候補である人の顔全体が写っているか、又は顔が暗すぎないか等の評価を行い、失敗撮影を防止する。
【００１０】
請求項３の記載は、前記請求項１記載の発明において、前記評価手段は、例えば前記被写体候補の全体画像が前記撮影対象画像内に含まれているかにより撮影状態を評価する。
被写体全体が撮影対象画像内に含まれていない場合、撮影者が希望する写真とは言えず、このような場合にも登録を阻止する。
【００１１】
請求項４の記載は、前記請求項１記載の発明において、前記評価手段は、例えば前記撮影対象画像に対する前記被写体候補の占有割合に応じて評価する構成である。
このように構成することにより、例えば人物以外の被写体候補の占有割合が低すぎる場合、上記と同様撮影者に通知し、またシャッタをロックする等の制御処理を行う。
【００１２】
請求項５の記載は、前記請求項１記載の発明において、前記評価手段は、例えば前記撮影対象画像に対する前記被写体候補の配置バランスに応じて評価する構成である。
例えば撮影対象画像に対して被写体候補が一方に偏りすぎていた場合、失敗の可能性が高い撮影画像であり、登録を未然に阻止する。
【００１３】
請求項６の記載は、前記請求項１記載の発明において、前記評価手段は、例えば前記撮影対象画像から背景対象物を特定し、該背景対象物と前記被写体候補との重なり度合いから評価する構成である。
このように構成することにより、被写体候補の重なり度を評価し、一定以上の重なりがあると評価する場合には、失敗の可能性が高い撮影画像であり、登録を阻止する。
【００１４】
上記課題は、請求項７記載の発明によれば、写真画像撮影時、撮影対象画像の画像内容を認識し、該認識した画像内容から被写体候補を特定し、該被写体候補の背景となる背景画像を前記撮影対象画像から抽出する抽出手段と、該抽出された背景画像の撮影状態を評価する評価手段と、該評価結果が所定の基準に満たない場合、撮影画像の登録を未然に防止する制御手段とを有する画像撮影装置を提供することによって達成できる。
【００１５】
本発明は被写体候補を撮影対象画像から特定し、更に特定した被写体候補の背景画像の撮影状態を評価するものである。そして、背景画像の撮影状態が基準値に満たない場合、上記と同様撮影者への通知、又はシャッタのロック等を行い、失敗の可能性が高い撮影画像の登録を阻止する。
【００１６】
上記課題は、請求項８記載の発明によれば、写真画像撮影後、記録部に記録された登録画像の画像内容を読み出す読出手段と、該画像内容を評価する評価手段と、該評価結果が所定の基準に満たない登録画像を削除する削除手段とを有する画像整理装置を提供することによって達成できる。
【００１７】
本例は写真撮影後、記録媒体に登録された登録画像の整理を行う際の発明であり、登録画像の内容を評価し、失敗画像であると評価する画像を、例えば自動的に削除し、記録媒体の記憶領域を有効利用する。
請求項９の記載は、前記請求項８記載の発明において、前記評価手段は、前記読み出した登録画像から被写体候補を抽出し、該被写体候補の撮影状態に応じて評価し、該評価結果が所定の基準に満たない登録画像を削除する構成である。
【００１８】
このように構成することにより、例えば被写体候補として人物や物を抽出し、抽出した人物や物の撮影状態を評価し、例え背景画像に問題がない場合でも、被写体候補の撮影状態が基準に満たない場合には、当該登録画像を削除する構成である。
【００１９】
上記課題は、請求項１０記載の発明によれば、写真画像撮影時、撮影対象画像の画像内容を認識し、該認識した画像内容から被写体候補を抽出する処理と、前記撮影対象画像内における前記被写体候補の撮影状態を評価する処理と、該評価結果が所定の基準に満たない場合、撮影画像の登録を未然に防止する処理とを行うプログラムであって、画像撮影装置が実行可能なプログラムを提供することによって達成できる。
【００２０】
本発明はプログラムの発明であり、このように構成することによっても、基準に満たない撮影画像に問題があると判断し、撮影者への通知やシャッタのロック等の制御を行い、失敗画像の登録を未然に防止する。
尚、請求項１１に記載の発明も画像撮影装置において使用するプログラムの発明であり、請求項１２に記載の発明は画像整理装置において使用するプログラムの発明であり、撮影状態に問題のある撮影画像を未然に阻止し、記録媒体の記憶領域を有効利用する構成である。
【００２１】
【発明の実施の形態】
以下、本発明の画像撮影装置及び画像整理装置について、図面を参照しながら実施形態を詳述する。
＜第１の実施形態＞
図１は本実施形態における画像撮影装置の内部構成を示す図である。
【００２２】
同図において、画像撮影装置はデジタルスチルカメラであり、ＣＰＵ１、カメラ撮影部２、画像メモリ３、操作部４、メモリ５、表示部６、記憶部７、記録媒体８で構成され、これらがバス１０を介して接続され、相互にデータの授受が可能である。
【００２３】
ＣＰＵ１は中央演算処理部であり、メモリ５に予め格納されている制御プログラムを実行することでこの画像撮影装置全体の処理動作を制御する。また、上記プログラムに従って制御処理を行うＣＰＵ１は、本発明の抽出手段として、又評価手段として、更には制御手段として機能する。
【００２４】
カメラ撮影部２は、画像の撮影処理を司る部分であり、ＣＰＵ１からレリーズボタン押下の通知を受けると、撮像レンズを介してＣＣＤ（Ｃｈａｒｇｅ  Ｃｏｕｐｌｅｄ  Ｄｅｖｉｃｅ  ）等の撮像素子上に結像される被写体像を入力し、光電変換する。そして、光電変換後の電気信号をＡ／Ｄ変換（アナログ／デジタル変換）し、デジタル画像データを画像メモリ３に記憶する。
【００２５】
操作部４は、操作者の操作指示を受け付けるシャッター、モード切換ボタン、整理ボタン、及び各種設定を行なう設定ボタンで構成されている。操作者が、操作部４の何れかのボタンを操作すると、操作信号がＣＰＵ１に送られ、ＣＰＵ１はその操作信号に基づいてプログラムに従った処理を行なう。
【００２６】
メモリ５は、ＣＰＵ１により実行するプログラムを記憶するＲＯＭ領域と、ＣＰＵ１がワークメモリとして用いるＲＡＭ領域で構成されている。
表示部６は、液晶モニタやそのドライバ等で構成され、画像撮影時に撮影画像を表示し、また撮影後記憶部７や記録媒体８に登録された撮影画像を表示する。
【００２７】
記憶部７は、フラッシュメモリ等で構成される書き換え可能な不揮発性メモリであり、撮影した画像の画像データを記憶する。また、  記録媒体８は、フラッシュメモリカード、スマートメディアカード、メモリースティック、ＰＣカード等のメモリカードであり、画像撮影装置から着脱可能な可搬記録媒体であり、画像撮影装置に装着されるとバス１０に接続される。
【００２８】
以上の構成において、以下に本例の処理動作を図２に示すフローチャートに従って説明する。
先ず、本例のデジタルスチルカメラのボタン操作を行うと、前述の操作信号がＣＰＵ１に送られ、ＣＰＵ１は入力する操作信号に基づいて操作されたボタンの判断を行う。先ず、シャッター操作が行われたか判断する（ステップ（以下、Ｓで示す）１）。ここで、シャター操作が行われたのでなければ（Ｓ１がＮ（ノー））、モード切り換え操作であるか判断する（Ｓ２）。ここで、例えばモード切り換え操作が行われたのでもなければ（Ｓ２がＮ）、再度シャター操作の判断に戻る。
【００２９】
一方、モード切り換えボタンの操作であれば（Ｓ２がＹ（イエス））、更に失敗チェックモードであるか判断する（Ｓ３）。尚、上記モード切り換えボタンは、失敗チェックモードと通常モードの切り換えを行うボタンであり、失敗チェックモードに設定されていれば通常モードに移行し（Ｓ３がＹ、Ｓ４）、通常モードであれば失敗チェックモードに移行する（Ｓ３がＮ、Ｓ５）。
【００３０】
一方、判断（Ｓ１）において、シャッター操作があると判断すると（Ｓ１がＹ）、カメラ撮影部２で撮影した撮影画像を画像メモリ３に一旦記憶し、表示部６に撮影画像を表示する（Ｓ６）。
次に、現在失敗チェックモードであるか判断し（Ｓ７）、失敗チェックモードに設定されていなければ（Ｓ７がＮ）、画像メモリ３に記憶した撮影画像の画像データを記録媒体８に転送する（Ｓ８）。このようにして記録媒体８に転送された画像データは記録媒体８内の所定エリアに登録される。
【００３１】
一方、失敗チェックモードに設定されている場合（Ｓ７がＹ）、ＣＰＵ１は画像メモリ３に記憶された画像内容を解析し（Ｓ９）、画像内容から被写体候補を検索し、被写体候補を抽出する（Ｓ１０）。尚、上記被写体候補の抽出は、背景画像に対して行う。
【００３２】
ここで、画像内容を解析した結果、被写体候補の抽出が不可能であると判断（評価）すると（Ｓ１１がＮ）、被写体不明フラグをセットする（Ｓ１２）。一方、被写体候補の抽出が可能であると判断（評価、以下同じ）すると（Ｓ１１がＹ）、更に被写体が人物であるか判断する（Ｓ１３）。この判断は、例えば画像メモリ３に記憶された画像データを解析し、人の形状に対応する画像が含まれているか判断し、含まれていれば（Ｓ１３がＹ）、更に被写体から顔部分を抽出する（Ｓ１４）。この顔部分の抽出は、画像データに含まれる色情報によって判断する。例えば、予め肌色の色情報（Ｒ（赤）、Ｇ（緑）、Ｂ（青）値）を基準値として記憶しておき、被写体（人物）の中に対応する部分が含まれているか判断する。
【００３３】
次に、被写体から顔の可能性が高い部分が抽出できた場合（基準値を越えた時）、更に顔部分全体が写っているか判断する（Ｓ１５）。この判断は、例えば人物に対する平均的な顔のサイズ情報を予め記憶しておき、このサイズ情報と撮影画像に含まれる顔部分のサイズ情報を比較することによって判断する。
【００３４】
ここで、顔全体が写っていると判断する場合（Ｓ１５がＹ）、次に顔部分は暗すぎないか判断する（Ｓ１６）。この判断は、例えば画像データに含まれる輝度情報に基づいて行い、予め設定される基準値を越えない場合（Ｓ１６がＮ）、顔暗フラグをセットする（Ｓ１７）。一方、顔部分の明るさに問題がない場合（基準値を越える場合）（Ｓ１６がＹ）、当該撮影画像を記録媒体８に転送し、記録媒体８に登録する（Ｓ８）。
【００３５】
また、上記判断（Ｓ１５）において、顔全体が写っていないと判断する場合（Ｓ１５がＮ）、顔切れフラグをセットする（Ｓ１８）。
一方、前述の判断（Ｓ１３）において、被写体が人物ではないと判断する時（Ｓ１３がＮ）、被写体全体が撮影範囲内にあるか判断する（Ｓ１９）。この場合、被写体は人物ではなく、例えば動物や建物、自動車、花等の物であり、この被写体が撮影範囲内にあるか判断する。
【００３６】
ここで、被写体が撮影範囲内にない場合（Ｓ１９がＮ）、対象となる被写体は撮影範囲内に含まれないか、又は被写体が画面から切れている状態であり、被写体切れフラグをセットする（Ｓ２０）。一方、被写体が撮影範囲内にある場合（Ｓ１９がＹ）、撮影範囲内にある被写体の割合を算出する（Ｓ２１）。そして、撮影範囲内にある被写体の割合が５０％以下である時（Ｓ２２がＮ）、割合不適切フラグをセットする（Ｓ２３）。一方、被写体の割合が５０％以上である時（Ｓ２２がＹ）、当該撮影画像を記録媒体８に転送し、記録媒体８に登録する。
【００３７】
次に、上記各処理によって設定されたフラグに対する対応処理を行う（Ｓ２４）。例えば、前述の被写体不明フラグが設定されている場合、被写体が何であるか不明である旨の表示を表示部６に行う。また、音声によって被写体不明の報知を行う構成としてもよい。同様に、顔暗フラグが設定されている場合や、顔切れフラグが設定されている場合、更に割合不適切フラグが設定されている場合についても、表示又は音声報知を行う。
【００３８】
尚、デジタルスチルカメラの操作者は無視ボタンを操作し（Ｓ２５）、上記問題を無視して撮影画像を記録媒体８に転送することもできる。この場合、無視ボタンを操作すると（Ｓ２５がＹ）、画像メモリ３に一旦記憶された撮影画像の画像データは記録媒体８に転送され（Ｓ８）、記録媒体８に登録される。一方、無視ボタンが操作されなければ（Ｓ２５がＮ）、一旦画像メモリ３に記憶された画像データは記録媒体８に登録されることがなく、例えば次のシャッター操作によって画像メモリ３に取り込まれる新たな撮影画像が上書きされる（Ｓ２５がＮ、Ｓ１）。
【００３９】
以上のように、本例によれば写真撮影時、画像メモリ３に撮影画像を一旦記憶し、撮影画像の画像内容から失敗撮影でないと評価する場合のみ撮影画像を記録媒体８に転送するものである。したがって、例えば被写体候補である人物が写った撮影画像を解析し、評価した結果、失敗撮影の可能性が高い時には当該撮影画像は記録媒体８に登録されることがない。
【００４０】
したがって、上記のように処理することにより、写真撮影時、失敗撮影である可能性が高い画像は自動的に削除され、失敗撮影が記録媒体８に登録されることを未然に防止することができる。
尚、上記実施形態の説明では、問題のない撮影画像を記録媒体８に登録する構成としたが、デジタルスチルカメラ内の記憶部７に登録する構成としてもよい。
【００４１】
また、前述の割合不適切フラグの設定を、人物以外の被写体が撮影範囲内で占める割合が５０％であるか否かによって判断したが、他の割合であってもよい。
＜第２の実施形態＞
次に、本発明の第２の実施形態について説明する。
【００４２】
図３は本例の処理動作を説明するフローチャートである。前述の実施形態と同様、先ずシャッター操作が行われたか判断する（ステップ（以下、ＳＴで示す）１）。ここで、シャッター操作が行われると（ＳＴ１がＹ）、カメラ撮影部２で撮影した撮影画像を画像メモリ３に一旦記憶し、当該撮影画像を表示部６に表示する（ＳＴ２、ＳＴ３）。そして、画像メモリ３に記憶した画像内容を解析し（ＳＴ４）、画像内容から被写体候補を検索し、被写体候補として人物を抽出する（ＳＴ５）。この処理は、前述のように画像メモリ３に記憶した画像データについて、人の形状に対応する画像を検索して行う。また、複数人が写っている場合には、すべての人物の抽出を行う。
【００４３】
次に、画像内容から被写体（人物）部分以外の背景画像部分を抽出する（ＳＴ６）。さらに、背景画像内での背景対象物の抽出処理を行う（ＳＴ７）。例えば、人物被写体の背景画像としてあるモニュメントを含む背景画像が存在する場合、当該背景画像からモニュメントの画像を抽出する。
【００４４】
次に、撮影範囲全体に対する被写体部分の配置バランスをチェックする（ＳＴ８）。例えば、被写体である人物が撮影範囲全体に対して左、又は右に偏って配置されている場合、偏りすぎであると判断する。また、被写体の頭が欠けて写る等、人物が撮影範囲全体に対して上下に偏って配置されている場合にも偏りすぎであると判断する（ＳＴ９がＹ）。この場合、人物（被写体）偏りすぎフラグをセットする（ＳＴ１０）。
【００４５】
次に、撮影範囲全体に対する背景対象物の配置バランスをチェックする（ＳＴ１１）。例えば、背景対象物が上記モニュメントである場合、当該モニュメントが撮影範囲全体に対して左右、又は上下に偏りすぎていないか判断する。ここで、背景対象物が偏りすぎている場合（ＳＴ１２がＹ）、背景偏りすぎフラグをセットする（ＳＴ１３）。
【００４６】
次に、被写体である人物と背景対象物との配置の重なり度合いをチェックする（ＳＴ１４）。例えば、被写体である人物と上記モニュメントが重なって撮影されている場合不良である。尚、人物とモニュメントとの重なり度は、例えば予め設定された所定値と比較して行う。したがって、両者の重なり度が所定値より大きい時、重なりフラグをセットする（ＳＴ１５がＹ、ＳＴ１６）。
【００４７】
次に、前述と同様、上記各処理によって設定されたフラグに対する対応処理を行い、先ずフラグの設定があるか判断する（ＳＴ１７）。そして、何れかのフラグが設定されている場合（ＳＴ１７がＹＥＳ）、当該フラグに対応するメッセージを報知する（ＳＴ１８）。例えば、前述の人物（被写体）偏りすぎフラグが設定されている場合、当該表示を表示部６に行う。また、重なりフラグが設定されている場合、当該表示を表示部６に行う。勿論、この時音声メッセージによる報知方法であってもよい。
【００４８】
尚、本例においても無視ボタンを操作し（ＳＴ１９がＹ）、画像メモリ３に一旦記憶された画像データを記録媒体８に転送する構成としてもよい（ＳＴ２０）。一方、無視ボタンが操作されなければ（ＳＴ１９がＮ）、設定されたフラグをクリアし、次のシャッター操作を待つ（ＳＴ１）。したがって、問題のある撮影画像は自動的に削除され、失敗撮影が記録媒体８に登録されることを未然に防止できる。
【００４９】
尚、本例では被写体として人物の例で説明したが、人物に限るものではない。また、背景対象物として、例えば銅像や、建物、自動車等の各種対象物が考えられる。
＜第３の実施形態＞
次に、本発明の第３の実施形態について説明する。
【００５０】
図４は本例の処理動作を説明するフローチャートである。前述の第１、第２の実施形態と異なり、本例は撮影後図１に示す記録媒体８に登録された登録画像を対象とし、登録画像の整理を行うものである。
先ず、ボタン操作が行われると、シャッター操作であるか判断する（ステップ（以下、ＳＴＰで示す）１）。ここで、シャッター操作であれば（ＳＴＰ１がＹ）、カメラ撮影部２で撮影した撮影画像を画像メモリ３に一旦記憶し、更に記録媒体８に転送する（ＳＴＰ２、ＳＴＰ３）。一方、シャッター操作でなければ（ＳＴＰ１がＮ）、整理ボタンが操作されたか判断する（ＳＴＰ４）。
【００５１】
ここで、整理ボタンが操作されたのであれば（ＳＴＰ４がＹＥＳ）、記録媒体８に登録された登録画像を読み出す（ＳＴＰ５）。そして、読み出した画像の内容を解析し（ＳＴＰ６）、画像内容から被写体候補を検索し、被写体候補を抽出する（ＳＴＰ７）。
【００５２】
ここで、被写体候補の抽出が可能であるか判断する（ＳＴＰ８）。例えば、被写体候補が人物である場合、人物の形状情報に基づいて撮影範囲内の画像データを検索し、被写体候補の抽出が可能であるか判断する。ここで、被写体候補の抽出が不可能である場合（ＳＴＰ８がＮ）、対応する登録画像（登録画像ナンバー）に評価点として１０点を記録する（ＳＴＰ９）。尚、メモリ５には不図示のテーブルが構築され、記録媒体８に登録した登録画像毎に上記評価点の記録が可能である。
【００５３】
一方、被写体候補の抽出が可能である場合（ＳＴＰ８がＹ）、更に被写体から顔部分の画像を抽出し（ＳＴＰ１０）、顔部分全体が写っているか判断する（ＳＴＰ１１）。この判断も、例えば前述のように肌色の色データ及び顔部分の形状データから判断し、顔全体が写っていないと判断する時（ＳＴＰ１１がＮ）、対応する登録画像に評価点として５点を記録する（ＳＴＰ１２）。
【００５４】
次に、上記処理が記録媒体８に登録された登録画像全てについて行われたか判断し（ＳＴＰ１３）、記録媒体８に登録された全の写真画像に対して上記評価処理が終了していなければ、上記評価処理を繰り返す（ＳＴＰ１３がＮ、ＳＴＰ５〜ＳＴＰ１３）。
【００５５】
その後、全ての登録画像に対する評価処理が完了すると（ＳＴＰ１３がＹ）、テーブルに記録された登録画像に対するソート処理を行う（ＳＴＰ１４）。この場合、評価点の高い順に登録画像の情報（例えば、登録画像のナンバー）を並べ変える。そして、表示部６に表示する（ＳＴＰ１５）。
【００５６】
次に、写真画像毎に削除の確認を行い（ＳＴＰ１６）、削除の了解指示があると（ＳＴＰ１６がＹ）、対応する登録画像を削除する（ＳＴＰ１７）。その後、全ての登録画像について削除の確認を行い、全登録画像に対する上記処理が完了すると処理を終了する（ＳＴＰ１８がＹ）。
【００５７】
以上のように処理することにより、記録媒体８に記録された登録画像について失敗の可能性の高い登録画像の削除を行うことができ、記録媒体８の記憶領域を有効に利用することができる。
尚、上記実施形態の説明では、登録画像毎に削除処理の確認を行ったが、予め評価点を設定し、当該評価点が高い順に削除処理を行う構成としてもよい。このように構成すれば、失敗の可能性の高い登録画像を自動的に削除することができる。
【００５８】
また、上記第１乃至第３の実施形態において、各フラグが設定されている場合、表示部６にメッセージを表示し、又はメッセージを報音して撮影者に注意を促したが、シャターをロックする構成としてもよい。
【００５９】
【発明の効果】
以上説明したように、本発明によれば失敗の可能性の高い撮影画像が記録媒体に登録されることを未然に防止できる。
また、記録媒体に一旦登録された画像であっても、後に失敗撮影の可能性の高い登録画像を自動的に削除することができ、記録媒体の記憶領域を有効利用することができる。
【図面の簡単な説明】
【図１】本実施形態における画像撮影装置、及び画像整理装置の内部構成を示す図である。
【図２】第１の実施形態の画像撮影装置の処理動作を説明するフローチャートである。
【図３】第２の実施形態の画像撮影装置の処理動作を説明するフローチャートである。
【図４】第３の実施形態の画像整理装置の処理動作を説明するフローチャートである。
【符号の説明】
１    ＣＰＵ
２  カメラ撮影部
３  画像メモリ
４  操作部
５  メモリ
６  表示部
７  記憶部
８  記録媒体
１０  バス
【図１】
2005020196.tif 000003
【図２】
2005020196.tif 000004
【図３】
2005020196.tif 000005
【図４】
2005020196.tif 000006